(57)【要約】      （修正有）【課題】ネットワークプロトコルを介して時間表示情報の挿入、伝送及び抽出装置及びその方法を提供する。【解決手段】ユーザデータグラムプロトコル（ＵＤＰ）あるいはリアルタイム伝送プロトコル（ＲＴＰ）を介して伝送されるパケットストリームにネットワークジッタ補償や時間同期化などに活用される時間表示情報を含む新たな形態のパケットを追加して伝送することによって、既存の伝送標準（ＵＤＰ／ＲＴＰ／ＭＰＥＧ２−ＴＳ）を逆らわずとも効果的にネットワーク時間表示情報を伝送することができる。【選択図】図１
2010130689.tif 000002
【特許請求の範囲】
【請求項１】
生成されたパケットストリームを伝送するネットワーク基盤のマルチメディアストリーム伝送システムのネットワーク時間表示情報挿入装置において、
ネットワークジッタ補償又は送受信端間の時間同期化に活用される時間表示情報を生成する時間表示情報生成器と、
伝達されたトランスポートストリーム（ＴＳ）パケットと前記時間表示情報を含むユーザデータグラムプロトコル（ＵＤＰ）又はリアルタイム伝送プロトコル（ＲＴＰ）パケットとを生成するパケタイザと、
を含むことを特徴とするネットワーク時間表示情報挿入装置。
【請求項２】
前記パケタイザは、
複数のＴＳパケットを含むＵＤＰパケット又はＲＴＰパケットを生成し、該生成するＵＤＰパケット又はＲＴＰパケットの間に、前記時間表示情報を含むＵＤＰパケット又はＲＴＰパケットを生成して挿入することを特徴とする請求項１に記載のネットワーク時間表示情報挿入装置。
【請求項３】
前記パケタイザは、
前記時間表示情報を含むＵＤＰパケット又はＲＴＰパケットを周期的に生成挿入することを特徴とする請求項２に記載のネットワーク時間表示情報挿入装置。
【請求項４】
前記パケタイザは、
最大０．１ｓ（ｓｅｃｏｎｄ）周期内で、前記時間表示情報を含むＵＤＰパケット又はＲＴＰパケットを周期的に生成挿入することを特徴とする請求項２に記載のネットワーク時間表示情報挿入装置。
【請求項５】
前記時間表示情報を含むＵＤＰパケット又はＲＴＰパケットは、
少なくともＵＤＰ又はＲＴＰヘッダ区間と、トランスポートストリーム（ＴＳ）パケットと区分するためのタイプ（ｔｙｐｅ）区間と、時間表示情報区間と、前記時間表示情報区間を指示するための区間とを含むことを特徴とする請求項２ないし請求項４のうち何れか一項に記載のネットワーク時間表示情報挿入装置。
【請求項６】
前記時間表示情報は、
ストリーム伝送時点でのネットワーク時間情報を表示するＰＣＲ（Ｐｒｏｇｒａｍ Ｃｌｏｃｋ Ｒｅｆｅｒｅｎｃｅ）情報であることを特徴とする請求項５に記載のネットワーク時間表示情報挿入装置。
【請求項７】
前記タイプ区間、前記時間表示情報区間及び前記時間表示情報区間を指示するための区間は、
それぞれ８、４８、１６ビットのペイロード区間であることを特徴とする請求項５に記載のネットワーク時間表示情報挿入装置。
【請求項８】
前記パケタイザは、
複数のＴＳパケットと、時間表示情報を含む少なくとも一つ以上のＴＳパケットで構成されるＵＤＰ又はＲＴＰパケットとを生成することを特徴とする請求項１に記載のネットワーク時間表示情報挿入装置。
【請求項９】
前記時間表示情報を含むＴＳパケットは、
トランスポートストリーム（ＴＳ）パケットと区分するためのタイプ区間、時間表示情報区間及び前記時間表示情報区間を指示するための区間を含むことを特徴とする請求項８に記載のネットワーク時間表示情報挿入装置。
【請求項１０】
前記時間表示情報は、
ストリーム伝送時点でのネットワーク時間情報を表示するＰＣＲ情報であることを特徴とする請求項８または９に記載のネットワーク時間表示情報挿入装置。
【請求項１１】
前記タイプ区間、前記時間表示情報区間及び前記時間表示情報区間を指示するための区間は、
それぞれ８、４８、１６ビットのペイロード区間であることを特徴とする請求項８または９に記載のネットワーク時間表示情報挿入装置。
【請求項１２】
ユーザデータグラムプロトコル（ＵＤＰ）又はリアルタイム伝送プロトコル（ＲＴＰ）パケットストリームに含まれた時間表示情報を抽出するための装置において、
ユーザデータグラムプロトコル（ＵＤＰ）又はリアルタイム伝送プロトコル（ＲＴＰ）パケットストリームをデパケット化して、トランスポートストリーム（ＴＳ）パケットと時間表示情報が含まれたパケットとを分離するデパケタイザと、
前記時間表示情報が含まれたパケットからネットワークジッタ補償又は送受信端間の時間同期化に活用される時間表示情報を抽出するための時間表示情報抽出器と、
を含むことを特徴とするネットワーク時間表示情報抽出装置。
【請求項１３】
前記時間表示情報抽出器は、
前記時間表示情報が含まれたパケットからネットワーク時間情報を表示するＰＣＲ情報を抽出することを特徴とする請求項１２に記載のネットワーク時間表示情報抽出装置。
【請求項１４】
ネットワーク基盤のマルチメディアストリーム伝送環境でネットワーク時間表示情報を挿入する方法において、
ネットワークジッタ補償又は送受信端間の時間同期化に活用される時間表示情報を生成する段階と、
トランスポートストリーム（ＴＳ）パケットをユーザデータグラムプロトコル（ＵＤＰ）又はリアルタイム伝送プロトコル（ＲＴＰ）パケットにパケット化し、前記時間表示情報が含まれたパケットを挿入してＵＤＰ又はＲＴＰパケット化する段階と、
を含むことを特徴とするネットワーク時間表示情報挿入方法。
【請求項１５】
前記時間表示情報が含まれるパケットは、
生成されるＵＤＰ又はＲＴＰパケットの間に挿入される独立したパケットであることを特徴とする請求項１４に記載のネットワーク時間表示情報挿入方法。
【請求項１６】
前記時間表示情報が含まれるパケットは、
生成されるＵＤＰパケット又はＲＴＰパケット内のＴＳパケットの間に挿入されるパケットであることを特徴とする請求項１４に記載のネットワーク時間表示情報挿入方法。
【請求項１７】
前記時間表示情報が含まれたパケットは、
少なくともＴＳパケットと区分するためのタイプ区間、時間表示情報区間及び前記時間表示情報区間を指示するための区間を含むことを特徴とする請求項１５または１６に記載のネットワーク時間表示情報挿入方法。
【請求項１８】
ネットワーク基盤のマルチメディアストリーム伝送環境でネットワーク時間表示情報を抽出する方法において、
ユーザデータグラムプロトコル（ＵＤＰ）又はリアルタイム伝送プロトコル（ＲＴＰ）パケットストリームをデパケット化して、トランスポートストリーム（ＴＳ）パケットと時間表示情報が含まれたパケットとを分離する段階と、
該分離された時間表示情報が含まれたパケットからネットワークジッタ補償又は送受信端間の時間同期化に活用される時間表示情報を抽出する段階と、
を含むことを特徴とするネットワーク時間表示情報抽出方法。
【請求項１９】
前記時間表示情報は、
ストリーム伝送時のネットワーク時間情報を表示するＰＣＲ情報であることを特徴とする請求項１８に記載のネットワーク時間表示情報抽出方法。
【発明の詳細な説明】
【技術分野】
【０００１】
本発明は、ネットワーク基盤のマルチメディア伝送システムに係り、特に、ネットワークプロトコルを介して時間表示情報（ｔｉｍｅｓｔａｍｐ）の挿入、伝送及び抽出装置及びその方法に関する。
【背景技術】
【０００２】
デジタル映像の圧縮及び伝送システムとして広く利用されているＭＰＥＧシステム規格のデータフォーマットは、プログラムストリームとトランスポートストリーム（Ｔｒａｎｓｐｏｒｔ  Ｓｔｒｅａｍ）とに区別される。プログラムストリームは、伝送時にエラーの少ない記録媒体などに利用され、トランスポートストリームは、デジタル放送及びネットワーク基盤のマルチメディアストリーム伝送に利用される。
【０００３】
ネットワーク基盤のマルチメディアストリーム伝送システムにおいて、ネットワークジッタ補償や送受信端間の時間同期化のために時間表示情報であるタイムスタンプが利用される。このようなネットワーク基盤のマルチメディアストリーム伝送システムにおいて、時間表示情報（Ｔｉｍｅｓｔａｍｐ）を挿入する方法は、大きく二つがある。その一つは、ＭＰＥＧ２−ＴＳパケットのヘッダ前部分に新たな４バイトの時間表示情報を挿入して伝送する方法であり、もう一つは、リアルタイム伝送プロトコル（Ｒｅａｌ  ｔｉｍｅ  Ｔｒａｎｓｐｏｒｔ  Ｐｒｏｔｏｃｏｌ：以下、ＲＴＰと称する）伝送時にＲＴＰペイロード（ｐａｙｌｏａｄ）区間に載せられる７個のＭＰＥＧ２−ＴＳパケットの各時間情報をＲＴＰヘッダ部分にいずれも含ませる方法である。
【０００４】
しかし、前者の場合には、ＭＰＥＧ２−ＴＳネットワーク伝送フォーマットを新たに変更することによって、全世界が同時にこのようなシステムヘッダを支援する新たなシステムを導入しなければならない問題があり、後者の場合も、ＲＴＰプロトコルを利用した新たな方法を提示してはいるが、現在大部分のネットワークを通じるストリーム伝送の場合、ＲＴＰプロトコルを主に使わないという点が問題として浮上している。
【発明の概要】
【発明が解決しようとする課題】
【０００５】
本発明の目的は、既存の伝送標準を逆らわずともネットワーク基盤のマルチメディアストリームに効果的にネットワーク時間表示情報を挿入することができるネットワーク時間表示情報挿入装置及び方法を提供することにあり、さらに、ネットワークプロトコルを用いて伝送されるマルチメディアストリームからネットワークジッタを補償し、送受信端間の時間情報の同期化に必要なネットワーク時間表示情報を抽出することができるネットワーク時間表示情報抽出装置及び方法を提供することにある。
【課題を解決するための手段】
【０００６】
前記課題を解決するための本発明の実施形態によるネットワーク時間表示情報挿入装置は、ネットワークジッタ補償や送受信端間の時間同期化に活用される時間表示情報を生成させるための時間表示情報生成器と、伝達されたトランスポートストリーム（ＴＳ）パケットと前記時間表示情報を含むユーザデータグラムプロトコル（ＵＤＰ）あるいはリアルタイム伝送プロトコル（ＲＴＰ）パケットとを生成させるためのパケタイザと、を含むことを特徴とする。
【０００７】
このようなネットワーク時間表示情報挿入装置で、パケタイザは、多数のＴＳパケットを含むＵＤＰパケットあるいはＲＴＰパケットを生成させるが、その生成されるＵＤＰあるいはＲＴＰパケットの間に、前記時間表示情報を含むＵＤＰあるいはＲＴＰパケットを生成して挿入することを特徴とする。
【０００８】
さらに、前記パケタイザは、前記時間表示情報を含むＵＤＰあるいはＲＴＰパケットを周期的に生成挿入することを特徴とし、前記時間表示情報を含むＵＤＰあるいはＲＴＰパケットは、少なくともＵＤＰあるいはＲＴＰヘッダ区間と、トランスポートストリーム（ＴＳ）パケットと区分するためのタイプ区間、時間表示情報区間及び前記時間表示情報区間を指示するための区間とを含むことを特徴とする。前記時間表示情報は、ストリーム伝送時点でのネットワーク時間情報を表示するＰＣＲ（Ｐｒｏｇｒａｍ  Ｃｌｏｃｋ  Ｒｅｆｅｒｅｎｃｅ）情報である。
【０００９】
さらに、本発明の実施形態によるネットワーク時間表示情報抽出装置は、ユーザデータグラムプロトコル（ＵＤＰ）あるいはリアルタイム伝送プロトコル（ＲＴＰ）パケットストリームに含まれた時間表示情報を抽出するための装置であって、ユーザデータグラムプロトコル（ＵＤＰ）あるいはリアルタイム伝送プロトコル（ＲＴＰ）パケットストリームをデパケット化して、トランスポートストリーム（ＴＳ）パケットと時間表示情報が含まれたパケットとを分離するためのデパケタイザと、前記時間表示情報が含まれたパケットからネットワークジッタ補償や送受信端間の時間同期化に活用される時間表示情報を抽出するための時間表示情報抽出器と、を含むことを特徴とし、前記時間表示情報抽出器は、前記時間表示情報が含まれたパケットからネットワーク時間情報を表示するＰＣＲ情報を抽出することを特徴とする。
【００１０】
また、本発明の実施形態によるネットワーク時間表示情報挿入方法は、ネットワークジッタ補償や送受信端間の時間同期化に活用される時間表示情報を生成させる段階と、トランスポートストリーム（ＴＳ）パケットをユーザデータグラムプロトコル（ＵＤＰ）あるいはリアルタイム伝送プロトコル（ＲＴＰ）パケットにパケット化するが、前記時間表示情報が含まれたパケットを挿入してＵＤＰあるいはＲＴＰパケット化する段階と、を含むことを特徴とする。
【００１１】
前記時間表示情報が含まれたパケットは、生成されるＵＤＰあるいはＲＴＰパケットの間に挿入される独立したパケットであることを特徴とし、場合によって、前記時間表示情報が含まれたパケットは、生成されるＵＤＰあるいはＲＴＰパケット内のＴＳパケットの間に挿入されるパケットであることを特徴とする。
【００１２】
同時に、本発明の実施形態によるネットワーク時間表示情報抽出方法は、ユーザデータグラムプロトコル（ＵＤＰ）あるいはリアルタイム伝送プロトコル（ＲＴＰ）パケットストリームをデパケット化して、トランスポートストリーム（ＴＳ）パケットと時間表示情報が含まれたパケットとを分離する段階と、該分離された時間表示情報が含んだパケットからネットワークジッタ補償や送受信端間の時間同期化に活用される時間表示情報を抽出する段階と、を含むことを特徴とする。
【発明の効果】
【００１３】
前述したような課題の解決手段によれば、ユーザデータグラムプロトコル（ＵＤＰ）あるいはリアルタイム伝送プロトコル（ＲＴＰ）を介して伝送されるパケットストリームにネットワークジッタ補償や時間同期化などに活用される時間表示情報を含む新たな形態のパケットを追加して伝送することによって、既存の伝送標準（ＵＤＰ／ＲＴＰ／ＭＰＥＧ２−ＴＳ）に逆らわずとも効果的にネットワーク時間表示情報を伝送することができる。
【図面の簡単な説明】
【００１４】
【図１】本発明の一実施形態によるネットワーク時間表示情報挿入装置のブロック構成例示図である。
【図２】図１に示した時間表示情報挿入装置によって生成されるＵＤＰパケットストリーム例示図である。
【図３】図２に示したＵＤＰパケットストリームの詳細構成例示図である。
【図４】本発明の一実施形態によるネットワーク時間表示情報抽出装置のブロック構成例示図である。
【図５】本発明の他の実施形態によるネットワーク時間表示情報挿入装置のブロック構成例示図である。
【図６】本発明のまた他の実施形態によるネットワーク時間表示情報抽出装置のブロック構成例示図である。
【発明を実施するための形態】
【００１５】
以下、本発明の望ましい実施形態を添付図面を参照して詳しく説明する。本発明を説明するに当って、関連した公知機能あるいは構成についての具体的な説明が、本発明の要旨を不明にする恐れがあると判断される場合、それについての詳細な説明は省略する。参考までに、下記では、説明の便宜上、ユーザデータグラムプロトコルを‘ＵＤＰ’と称し、リアルタイム伝送プロトコルは‘ＲＴＰ’と称する。
【００１６】
まず、図１は、本発明の一実施形態によるネットワーク時間表示情報挿入装置のブロック構成図であり、図２は、図１に示した時間表示情報挿入装置によって生成されるＵＤＰパケットストリームを例示した図である。そして、図３は、図２に示したＵＤＰパケットストリームの詳細構成図である。
【００１７】
図１を参照すれば、まず、本発明の実施形態によるネットワーク時間表示情報挿入装置は、ネットワーク基盤のマルチストリーム伝送システムに含まれる装置である。マルチストリーム伝送システムは、伝送しようとするマルチメディアデータを圧縮符号化するためのエンコーダと、圧縮符号化されたそれぞれの映像及び音声データを多重化してトランスポートストリーム（以下、‘ＴＳ’と称する）パケットで作る多重化部、そして、発明の実施形態による時間表示情報挿入装置によって生成されたＵＤＰあるいはＲＴＰパケットをネットワークを介して伝送するためのネットワークインターフェース部などを含む。
【００１８】
すなわち、本発明の実施形態によるネットワーク時間表示情報挿入装置は、図１に示したように、ネットワークジッタ補償や送受信端間の時間同期化に活用される時間表示情報を生成させるための時間表示情報生成器１１０と、前記多重化部を通じて生成されたＴＳパケットと時間表示情報生成器１１０によって生成された時間表示情報を含むＵＤＰあるいはＲＴＰパケットとを生成させるためのパケタイザ１００とを含む。参考までに、時間表示情報生成器１１０は、ストリーム伝送時点でのネットワーク時間情報を表示するＰＣＲ情報を生成させるＰＣＲインサータ（ｉｎｓｅｒｔｅｒ）として具現可能である。
【００１９】
以下、図２及び図３を参照して、前述した構成の時間表示情報挿入装置の動作を説明する。
【００２０】
まず、圧縮映像をＴＳパケットのストリームに変換し、これをＵＤＰパケットに変換して伝送する既存方式とは異なって、本発明の実施形態による時間表示情報挿入装置のパケタイザ１００は、マルチメディアストリーム伝送時の時間情報をＰＣＲ形態に変換して、これを独立した一つのＵＤＰパケットに別途伝送する。すなわち、パケタイザ１００は、図２に示したように、多重化部から伝達されるＴＳパケットが入力され、ＵＤＰ（あるいは、ＲＴＰ）パケットストリームを生成するが、図１に示したように、生成されるＵＤＰ（あるいは、ＲＴＰ）パケット（１）の間に時間表示情報を含むＵＤＰ（あるいは、ＲＴＰ）パケット（２）を生成して挿入する。パケタイザ１００は、最大０．１ｓ（ｓｅｃｏｎｄ）周期内で時間表示情報を含むＵＤＰあるいはＲＴＰパケット（２）を周期的に生成挿入する。
【００２１】
参考までに、図２に示したように、多重化部から伝達されるＴＳパケットには、ＰＣＲ情報が存在するＴＳパケットが存在する。これにより、時間表示情報生成器１１０は、外部タイマー１２０から獲得可能な現在時間情報を参照して、ＴＳパケットに存在する通常最大０．１ｓ（ｓｅｃｏｎｄ）間隔のＰＣＲ情報を補間することによって、０．１ｓ時間間隔より遥かに細密な間隔のネットワークレイヤ上の時間情報間隔で加工してパケタイザ１００に提供する。これにより、パケタイザ１００は、図１に示したように、生成されるＵＤＰ（あるいは、ＲＴＰ）パケット（１）の間に時間表示情報を含むＵＤＰ（あるいは、ＲＴＰ）パケット（２）を生成して挿入することができる。時間表示情報が含まれるＵＤＰ（あるいは、ＲＴＰ）パケット（２）は、周期的あるいは非周期的に挿入されることができ、伝送されるマルチメディアストリームのようなポート（ｐｏｒｔ）を介して伝送するか、任意の他のポートを指定して伝送することができる。
【００２２】
前述した時間表示情報挿入装置によって生成されたＵＤＰパケットストリームは、引き続きリンクレイヤ及び物理階層レイヤを通じて受信端側に伝送される。
【００２３】
図３は、パケタイザ１００を通じて生成されたＵＤＰ（あるいは、ＲＴＰ）パケットの詳細構成図であって、図３（ａ）に示すように、ＵＤＰパケットは、最大７個のＭＰＥＧ２−ＴＳパケットを含む。そして、図３（ｂ）に示すように、時間表示情報を含むＵＤＰパケットは、少なくともＵＤＰあるいはＲＴＰヘッダ区間と、総７２ビット長のペイロード区間とを含む。前記ペイロード区間は、またトランスポートストリーム（ＴＳ）パケットと区分するための８ビットのタイプ（Ｔｙｐｅ）区間、４８ビットの時間表示情報区間（ＰＣＲ）及び前記時間表示情報区間（ＰＣＲ）を指示するための１６ビットのＰＩＤ区間を含む。参考までに、８ビットのタイプ情報は、ＭＰＥＧ２−ＴＳでのシンク（ｓｙｎｃ）バイトのような役割をするが、シンクバイトのような値を有してはならない。同時に、１６ビットのＰＩＤ情報は、ＴＳパケットでリザーブ（ｒｅｓｅｒｖｅｄ）された値のうち一つを有する。４８ビットのＰＣＲ情報は、伝送時点でのネットワーク時間情報を表示する。このうち、１６ビットのＰＩＤ情報と４８ビットＰＣＲ情報は、実際１３ビットと４２ビットとをそれぞれ使い、残りのビットは‘０’に設定する。
【００２４】
以下、前述した時間表示情報挿入装置によって生成されたＵＤＰパケットストリームからネットワークジッタ補償や送受信端間の時間同期化に活用される時間表示情報を抽出する時間表示情報抽出装置について説明する。
【００２５】
図４は、本発明の一実施形態によるネットワーク時間表示情報抽出装置のブロック構成図であって、前記抽出装置は、ＵＤＰ（あるいは、ＲＴＰ）パケットストリームをデパケット化して、ＴＳパケットと時間表示情報が含まれたパケットとを分離するためのデパケタイザ２００と、前記時間表示情報が含まれたパケットからネットワークジッタ補償や送受信端間の時間同期化に活用される時間表示情報を抽出するための時間表示情報抽出器２１０とを含む。
【００２６】
図４を参照すれば、ネットワークを介して伝送されたＵＤＰパケットストリームは、示したように、ＴＳパケットで構成されるＵＤＰパケット（１）と時間表示情報が含まれたＵＤＰパケット（２）とを含む。このようなＵＤＰパケットストリームがデパケタイザ２００に入力されると、デパケタイザ２００は、ＵＤＰパケットストリームをデパケット化して、ＴＳパケットと時間表示情報が含まれたパケットとを分離する。次いで、時間表示情報抽出器２１０は、デパケタイザ２００から伝達される時間表示情報が含まれたパケットから時間表示情報に該当するＰＣＲ情報を抽出する。このように抽出されたＰＣＲ情報は、引き続き後端でネットワークジッタ補償や送受信端間の時間同期化に活用される。
【００２７】
前述したところによれば、本発明の一実施形態による時間表示情報挿入装置は、ＵＤＰあるいはＲＴＰを通じて伝送されるパケットストリームにネットワークジッタ補償や時間同期化などに活用される時間表示情報を含む新たな形態のパケットを追加して伝送することによって、既存の伝送標準（ＵＤＰ／ＲＴＰ／ＭＰＥＧ２−ＴＳ）に逆らわずとも効果的にネットワーク時間表示情報を伝送することができる。
【００２８】
以上の実施形態では、時間表示情報を含む新たな形態の独立したＵＤＰパケットを生成させる装置について説明したが、ＵＤＰパケットに含まれる最大７個のＴＳパケットのうち一つを取り出し、その空間に時間表示情報が含まれた新たな形態のパケットを追加する装置を考慮することもできる。このような本発明の変形実施形態を、図５を参照して、より具体的に説明する。
【００２９】
図５は、本発明の他の実施形態によるネットワーク時間表示情報挿入装置のブロック構成図であり、図６は、図５によるネットワーク時間表示情報抽出装置のブロック構成図である。
【００３０】
図５に示されたパケタイザ３００は、図１に示されたパケタイザ１００とは異なって、多数のＴＳパケット（２）と時間表示情報を含む少なくとも一つ以上のＴＳパケット（３）とで構成されるＵＤＰ（あるいは、ＲＴＰ）パケットを生成する。このようなＵＤＰパケットは、ヘッダ（１）が前に位置し、時間表示情報が含まれたＴＳパケット（３）は、図３（ｂ）に示されたフォーマット構成のうちタイプ／ＰＩＤ／ＰＣＲ区間のみを含む。
【００３１】
すなわち、パケタイザ３００は、多重化部から伝達されるＴＳパケットが入力されてＵＤＰ（あるいは、ＲＴＰ）パケットストリームを生成するが、図示したように、一つのＵＤＰパケット内に多数のＴＳパケットを位置させるが、そのＴＳパケットの間に時間表示情報生成器３１０によって作られた時間表示情報を含むＴＳパケットを生成して挿入する。このように生成されたＵＤＰパケットは、引き続きリンク階層レイヤと物理階層レイヤとを通じて受信端側に伝送される。
【００３２】
これにより、ネットワーク中間ノードや終端に位置するデパケタイザと時間表示情報抽出器は、ＵＤＰパケットに含まれた時間表示情報を抽出することができるが、このために、ネットワーク中間ノードや終端に位置する時間表示情報抽出装置は、図６に示したようなデパケタイザ４００と時間表示情報抽出器４１０とを含む。すなわち、ＵＤＰパケットストリームがデパケタイザ４００に入力されれば、デパケタイザ４００は、ＵＤＰパケットストリームをデパケット化して、ＴＳパケットと時間表示情報が含まれたＴＳパケットとを分離する。次いで、時間表示情報抽出器４１０は、デパケタイザ４００から伝達される時間表示情報が含まれたＴＳパケットから時間表示情報に該当するＰＣＲ情報を抽出する。このように抽出されたＰＣＲ情報は、引き続き後端でネットワークジッタ補償や送受信端間の時間同期化に活用される。
【００３３】
したがって、本発明のまた他の実施形態による装置も、ＵＤＰあるいはＲＴＰを通じて伝送されるパケットにネットワークジッタ補償や時間同期化などに活用される時間表示情報を含んで伝送することによって、既存の伝送標準（ＵＤＰ／ＲＴＰ／ＭＰＥＧ２−ＴＳ）に逆らわずとも効果的にネットワーク時間表示情報を伝送することができる。
【００３４】
例えば、ネットワーク基盤のマルチメディアストリーム伝送環境でネットワーク時間表示情報を挿入する方法は、ネットワークジッタ補償や送受信端間の時間同期化に活用される時間表示情報を生成させる段階と、ＴＳパケットをＵＤＰあるいはＲＴＰパケットにパケット化するが、前記時間表示情報が含まれたパケットを挿入してＵＤＰあるいはＲＴＰパケット化する段階とを含むことによって、既存の伝送標準（ＵＤＰ／ＲＴＰ／ＭＰＥＧ２−ＴＳ）を逆らわずとも効果的にネットワーク時間表示情報を伝送することができる。
【００３５】
前記方法によってネットワーク時間表示情報が伝送されれば、受信端側では、ＵＤＰあるいはＲＴＰパケットストリームをデパケット化して、ＴＳパケットと時間表示情報が含まれたパケットとを分離する段階と、該分離された時間表示情報が含んだパケットからネットワークジッタ補償や送受信端間の時間同期化に活用される時間表示情報を抽出する段階とを含むことによって、正常に時間表示情報を抽出することができる。
【００３６】
以上、本発明は、図面に示された実施形態を参考にして説明されたが、これは例示的なものに過ぎず、当業者ならば、これより多様な変形及び均等な他の実施形態が可能であるという点を理解できるであろう。したがって、本発明の真の技術的保護範囲は、特許請求の範囲によってのみ決まるべきである。
【産業上の利用可能性】
【００３７】
本発明は、ネットワーク時間表示情報を挿入または抽出する装置及び方法関連の技術分野に適用可能である。
【符号の説明】
【００３８】
１１０、３１０  時間表示情報生成器
１００、３００  パケタイザ
１２０、２２０、３２０  外部タイマー
２００、４００  デパケタイザ
２１０、４１０  時間表示情報抽出器
【図１】
2010130689.tif 000003
【図２】
2010130689.tif 000004
【図３】
2010130689.tif 000005
【図４】
2010130689.tif 000006
【図５】
2010130689.tif 000007
【図６】
2010130689.tif 000008